(57)【要約】【課題】ケーブルを傷つけることなく保持できるケーブル結束保持具を提供する。【解決手段】正面側４ａでケーブル２を支持する子桁３ｂの背面側４ｂに設けられ、ケーブル２を結束する結束線材５を介してケーブル２を保持するケーブル結束保持具１であって、子桁３ｂの背面４ｂに接触する胴部６と、前記結束線材５を係止する係止部７とを備えた。【選択図】　　　図１
2004120955.tif 000002
【特許請求の範囲】
【請求項１】
正面側でケーブルを支持する子桁の背面側に設けられ、ケーブルを結束する結束線材を介してケーブルを保持するケーブル結束保持具であって、子桁の背面に接触する胴部と、前記結束線材を係止する係止部とを備えたことを特徴とするケーブル結束保持具。
【請求項２】
前記胴部は、所定長さ、所定幅、所定の厚さを有する長方形板状に形成され、この胴部の上面が前記子桁の背面と当接する当接面とされており、
前記係止部はフック状に形成され、かつ前記胴部の幅方向両端部に、胴部長手方向に間隔をおいて複数形成されていることを特徴とする請求項１に記載のケーブル結束保持具。
【請求項３】
前記当接面には、子桁の背面側に固定するための接着手段が設けられていることを特徴とする請求項１または２に記載のケーブル結束保持具。
【発明の詳細な説明】
【０００１】
【発明の属する技術分野】
本発明は、例えばケーブルラックに布設される、線種、線径の異なるケーブルを保持するケーブル結束保持具に関する。
【０００２】
【従来の技術】
特許文献１には、「円弧状の連結体および該連結体の両端部から先端側を接近される方向に一体的に延長された一対の脚体から構成されたバネ性を有する樹脂製の馬蹄形の胴部と、上記一対の脚体の相対する内周面のそれぞれから各引掛爪の先端を上記連結体側に向けて、かつ、各引掛爪を上記連結体に対して互いに逆側の外向きに、該脚体の長さ方向に複数並設されたバネ性を有する樹脂製の一対の引掛爪群とを有する」ケーブル結束保持具とこのケーブル結束保持具用の打ち込み装置が開示されている。
【０００３】
【特許文献１】
特開平１１−１０３５１９号公報
【０００４】
【発明が解決しようとする課題】
しかし、この従来のケーブル結束保持具は、ケーブルの上方からこのケーブルを押しつけるように取り付けられるため、取付に際し、ケーブル結束保持具の引掛爪や、打ち込み装置がケーブルの被覆部に当たって、被覆部が傷つくおそれがあった。
このように被覆部が傷ついた場合には、この被覆部に亀裂が生じて、内部の線材が露出して漏電等の原因となる場合がある。
【０００５】
そこで、本発明は、ケーブルの被覆部を傷つけることなく保持できるケーブル結束保持具を提供することを目的とする。
【０００６】
【課題を解決するための手段】
本発明を上記目的を達成するために以下の技術的手段を講じた。
すなわち、第１に、正面側でケーブルを支持する子桁の背面側に設けられ、ケーブルを結束する結束線材を介してケーブルを保持するケーブル結束保持具であって、子桁の背面に接触する胴部と、前記結束線材を係止する係止部とを備えたことである。
これによれば、子桁の背面にケーブル結束保持具を固定することによって、子桁の正面側で支持されるケーブルからケーブル結束保持具を離間することができるようになる。したがって、このケーブル結束保持具の係止部に結束線材を係止させることによって、ケーブル結束保持具がケーブルの被覆部に接触することがなくなり、被覆部を傷つけることがなく、ケーブルを保持することができるようになる。
【０００７】
第２に、前記胴部は、所定長さ、所定幅、所定の厚さを有する長方形板状に形成され、この胴部の上面が前記子桁の背面と当接する当接面とされており、前記係止部はフック状に形成され、かつ前記胴部の幅方向両端部に、胴部長手方向に間隔をおいて複数形成されていることである。
これによれば、子桁の背面に当接する当接面を胴部に設けたことにより、このケーブル結束保持具を子桁に安定して固定することができるようになる。
また、係止部をフック状として複数形成することで線種、線径、断面形状の異なった複数のケーブルを保持することができるようになる。
【０００８】
第３に、前記当接面には、子桁の背面側に固定するための接着手段が設けられていることである。
これによれば、ケーブル結束保持具を子桁に確実かつ安定して固定することができるようになる。
【０００９】
【発明の実施の形態】
以下、図面を参照して本発明の実施の形態を説明する。
図１乃至図７は本発明に係るケーブル結束保持具１の第１実施形態を示している。ケーブル結束保持具１は、ケーブル２の配線路を確保するためのケーブルラックの親桁３ａに挟持されている子桁３ｂにケーブル２を固定し、保持するためのものである。ケーブル２をケーブルラックに固定・保持するためにはこのケーブル結束保持具１とは別に結束線材を使用する。第１実施形態では、結束線材は、結束紐５を用いている。すなわち、このケーブル結束保持具１は結束線材である結束紐５と共働してケーブル２を子桁３ｂに固定するのである。
【００１０】
子桁３ｂは略四角柱状であってその１の面が開口状とされた筒状体であり、ケーブル２は、開口状とされた前記１の面に支持されることによって布設される。以下、この実施の形態では、この開口状の１の面を正面４ａといい、この正面４ａと相対する面を背面４ｂという。なお、子桁３ｂについては、丸棒状のものや、その１の面が開口状とされていない４角筒状のように、種々の大きさ、形状のものがあり、子桁３ｂの正面４ａとは、作業者からみて相対する面、または面部分をいう。
【００１１】
図３に示すように、ケーブル結束保持具１は、長尺状の胴部６を有している。この胴部６は所定長さＬ、所定幅Ｗ、所定厚さＴの長方形状とされ、樹脂によって形成されている。この胴部６の幅方向端部には、結束紐５を係止するための係止部７が設けられている。この係止部７は、樹脂成形によって胴部６と一体成形されている。
係止部７は、結束紐５を子桁３ｂの正面４ａ側から掛けることができるように、略逆Ｖ字状の鉤形状、またはフック状とされている。また、係止部７は、胴部６を挟んで対とされている。さらに、係止部７は、胴部６の幅方向端部において、その長手方向に間隔をおいて複数形成されている。
【００１２】
係止部７は、胴部６の上面６ａよりも上方に突出して形成されている。逆Ｖ字状の係止部７のうち胴部６寄りの直線部１０は、幅方向外方に傾斜して形成されている。換言すれば、この直線部１０と胴部６の上面６ａとがなす角度は鈍角とされている。
このように直線部１０を傾斜して形成することによって、例えば、このケーブル結束保持具１を子桁３ｂの背面４ｂ側にあてがうときには、この直線部１０に子桁３ｂの背面４ｂ側のいずれか１の角部分をあてるだけで、その傾斜に従って当接面６ａと子桁３ｂの背面４ｂと当接させることができるようになる。つまり、直線部１０は、傾斜して形成されることによって、ケーブル結束保持具１を子桁３ｂの背面４ｂに取り付けようとするときに、子桁３ｂの角部が当接することによって、当接面６ａが、子桁３ｂの背面４ｂに当接するように案内する案内部となるのである。なお、胴部６の上面６ａと、直線部１０とがなす角度は９０°であってもよい。
【００１３】
この係止部７の頂部７ａは、湾曲形状とされている。また、係止部７の先端部７ｂは、胴部６の当接面６ａと略平行となるように、折曲されている。これによって、先端部７ｂの下面側には、結束紐５を係止部７に係合させるときに、この結束紐５が接触する当たり部７ｃが形成される。したがって、係止部７に結束紐５を係合させるときには、この結束紐５が先端部７ｂに引っ掛かることなく、当たり部７ｃに接触して、係止部７の奥部に案内されるので、結束紐５の係止が容易にできて便利である。
【００１４】
ケーブル結束保持具１は、子桁３ｂの背面４ｂ側に固定される。より具体的には、胴部６の上面６ａが、子桁３ｂの背面４ｂに当接する当接面６ａ（以下、上面および当接面の符号について６ａを共用する。）となっていて、ケーブル２を保持する際には、この当接面が背面４ｂ側に固定される。この当接面６ａは平坦状に形成されていることが望ましい。このように当接面６ａを平坦状とすることによって、当接面６ａを子桁３ｂの背面４ｂに密着させることができるようになる。
【００１５】
前記当接面６ａには、子桁３ｂの背面４ｂ側に固定するための接着手段１１が設けられている。第１実施形態では、接着手段１１は、この当接面６ａに両面テープを貼付されることによって構成される。この接着手段１１を設ける範囲を極力広くとるために、胴部６の幅Ｗは、子桁３ｂの背面４ｂの幅と略等しくされている。
ケーブル結束保持具１が子桁３ｂの背面４ｂ側に固定されると、ケーブル結束保持具１の係止部７の頂部７ａは、子桁３ｂの正面４ａ側で支持されるケーブル２の下方に位置することとなる。このとき、係止部７の頂部７ａとケーブル２とは離間された状態となる。つまり、ケーブル結束保持具１が子桁３ｂに固定された場合には、係止部７の頂部７ａは、ケーブル２と接触しないのである。
【００１６】
より具体的には、係止部７の頂部７ａがケーブル２を接触しないように離間されるために、子桁３ｂの高さよりも係止部７の突出長さが小さくされている。
図１に示すように、ケーブル結束保持具１を子桁３ｂの背面４ｂ側に固定して、正面４ａ側から結束紐５をケーブル２に巻きつけるようにして係止部７に掛けることによって、ケーブル２は固定され、このケーブル結束保持具１によって保持されることとなる。なお、ケーブル結束保持具１がケーブル２を保持した状態では、図１、図２に示すようにケーブル２とケーブル結束保持具１とで子桁３ｂを挟んだ状態となる。結束紐５の終端部は係止部７の頂部７ａ近傍で結束されている。
【００１７】
上記第１実施形態によれば、子桁３ｂの背面４ｂ側にケーブル結束保持具１を固定することによって、子桁３ｂの正面４ａ側で支持されるケーブル２とケーブル結束保持具１とが接触しないように離間することができるようになる。したがって、このケーブル結束保持具１の係止部７に結束紐５を係止させることによって、ケーブル結束保持具１がケーブル２の被覆部に接触して傷をつけることがなく、このケーブル２を簡易に固定・保持することができるようになる。
また、子桁３ｂの背面４ｂに当接する胴部６の当接面６ａを平坦状に形成することによって、背面４ｂと当接面６ａとを密着させることが可能となり、これによってケーブル結束保持具１を子桁３ｂに安定して固定し、ケーブル２がぐらつかないように固定・保持することができるようになる。
【００１８】
さらに、係止部７を複数対設けたことにより、複数のケーブル２を安定して固定・保持することができるようになる。
胴部６の幅Ｗを子桁３ｂの背面４ｂの幅と略等しくすることによって、当接面６ａ全体と背面４ｂ全体とを当接することができ、例えば、当接面６ａ全体に両面テープ等の接着手段１１を設けることによって、胴部６を背面４ｂに密着させて、ケーブル結束保持具１を子桁３ｂに確実にかつ安定して固定することができ、ケーブル２が安定して保持できる。
【００１９】
また、従来はケーブル結束保持具１を用いずに、結束紐５だけで、ケーブル２を子桁３ｂに結びつけることによって、ケーブル２を固定する場合もあったが、このような場合には、多少のコツ（熟練）が必要であり、作業者の作業経験（熟練度）等によってケーブル２を固定するためにかかる時間に個人差があった。また、結束後の仕上がり状態の見た目の善し悪しにバラツキがあった。
しかし、本発明にかかるケーブル結束保持具１を使用すれば、このような作業者の作業経験（熟練）を必要とせず、結束紐５を係止部７に掛けるだけでよいので、誰でも簡単にかつすばやく多数のケーブル２を固定することができるようになり、作業時間を短縮して作業効率を向上させることができる。
【００２０】
さらに、複数の係止部７が胴部６の長手方向に等間隔に形成されている場合には、これによって固定されるケーブル２も等間隔に配置させることができ、見た目の結束後の仕上がり状態の見た目の美しさもバラツキなく均一に確保できる。ケーブル結束保持具１は、その構造が簡単なものであるので、製造コストを極端に高くすることなく、安価に製造できる。
図１に示すように、ケーブル２には、線径の大きなもの（２ａ）や、複数のケーブル２を撚ったもの（２ｂ）、または、その断面形状が扁平状のもの（２ｃ）等、種々の態様のものがある。本発明によれば、例えば、線径の大きなケーブル２ｂ等に対しては、結束紐５を、係止部７に対して一つとばし（一個おきに）または、複数個おきにして係合させることによって対応できる。したがって、ケーブル結束保持具１は、大小様々なケーブル２（２ａ、２ｂ、２ｃ）を同時にかつ簡単に子桁３ｂに固定・保持することができるようになっている。
【００２１】
図７に示すように、係止部７において略逆Ｖ字状とされた鉤状部分の内側に結束紐５を係止する係止爪１２が形成されている。この係止爪１２は、結束紐５が当たる係止部７の内側部分に鋸歯状の突起を形成することによって形成される。このように係止爪１２を形成することによって、係止部７に掛けられた結束紐５がずれにくくなって、ケーブル２をぐらつくことなく固定することができるようになる。
図８の第２実施形態では、係止部７の内側の結束紐５が係合する部分に凹部１３を形成してこの係合部分を凹凸状とすることによって、この係合部分に係合された結束紐５をずれにくくしている点が、第１実施形態と異なる。その他の点は、第１実施形態と同様の構成であり、同様の作用効果を生じる。
【００２２】
図９の第３実施形態では、ケーブル２は、ケーブル結束保持具１によって丸棒状（断面視円形）の子桁３ｂに固定・保持されている。胴部６は、前記子桁３ｂの円形状に応じて円弧状に形成されている。したがって、当接面６ａにおいても下方（背面側）に、凹状となる断面視円弧状の曲面とされている。これによって、当接面６ｂは、子桁３Ｂの背面部分に応じて密着でき、その幅方向にぐらつくことなく、子桁に固定されるようになっている。その他の点は、第１実施形態と同様の構成であり、同様の作用効果を生じる。
【００２３】
図１０、図１１の第４実施形態では、係止部７は、例えば、合成樹脂の棒材８の両端部を湾曲させて鉤形状にすることによって形成される。したがって、この棒材８は、両端部に鉤形状の係止部７が形成されることとなり、係止部７同士間は、直線状となっている。この直線部分９は、胴部６の幅Ｗと略同じ長さになっている。
第４実施形態では、長方形状の胴部６と係止部７が形成された棒材８とを別体で形成し、棒材８の直線部分９を胴部６の長手方向と直交するように、すなわち、胴部６の幅方向に沿うようにして、棒材８の直線部分９と胴部６の下面６ｂとが接着されることによって、ケーブル結束保持具１が形成されている。係止部７が形成された棒材８は、胴部６の長手方向に間隔をおいてこの胴部６に複数接着されている。これによって、複数対の係止部７がケーブル結束保持具１に形成されることとなる。その他の点は、第１実施形態と同様の構成であり、同様の作用効果を生じる。
【００２４】
なお、本発明は、上記の実施の形態に限らず、以下のように種々の変形・変更が可能である。ケーブル結束保持具１は、合成樹脂に限らず、金属等の他の種々の材料によって形成することができる。胴部６は長方形に限らず、正方形状、楕円形状等の他の種々の形状であってもよい。係止部７の形状は、逆Ｖ字状に限らず、コの字状、突起状等の他の種々の形状とすることができる。また、第１実施形態における係止部７を金属製として樹脂製胴部にインサート成形することによって形成してもよい。結束線材は、結束紐５に限らず、金属線、樹脂製線材等、他の種々の材質のものを用いることができる。接着手段１１は、両面テープに限らず、当接面６ａに接着剤を塗布したり、この当接面６ａに吸盤を設けたりすることによって構成してもよい。
【００２５】
【発明の効果】
本発明によれば、ケーブルの被覆部を傷つけることなく保持できる。
【図面の簡単な説明】
【図１】ケーブル結束保持具がケーブルを保持した状態を示す側面図である。
【図２】図１のＡ−Ａ矢視線断面図である。
【図３】ケーブル結束保持具の斜視図である。
【図４】ケーブル結束保持具の平面図である。
【図５】ケーブル結束保持具の背面図である。
【図６】ケーブル結束保持具の側面図である。
【図７】ケーブル結束保持具の係止部の部分拡大図である。
【図８】ケーブル結束保持具の第２実施形態を示す部分拡大図である。
【図９】ケーブル結束保持具の第３実施形態を示す断面図である。
【図１０】ケーブル結束保持具の第４実施形態を示す断面図である。
【図１１】ケーブル結束保持具の第４実施形態を示す側面図である。
【符号の説明】
１　ケーブル結束保持具
２　ケーブル
３　子桁
４ａ　正面
４ｂ　背面
５　結束紐
６　胴部
６ａ　当接面
７　係止部
１１　接着手段
【図１】
2004120955.tif 000003
【図２】
2004120955.tif 000004
【図３】
2004120955.tif 000005
【図４】
2004120955.tif 000006
【図５】
2004120955.tif 000007
【図６】
2004120955.tif 000008
【図７】
2004120955.tif 000009
【図８】
2004120955.tif 000010
【図９】
2004120955.tif 000011
【図１０】
2004120955.tif 000012
【図１１】
2004120955.tif 000013